(57)【特許請求の範囲】
【請求項１】
内部に商品陳列室を有し、正面に開口を有するショーケース本体と、
前記商品陳列室内に配置され、後端側が前記ショーケース本体に取付けられて前端側が前記開口に向けて延出する左右一対のブラケットと、
前記ブラケットに前後方向にスライド可能に取付けられたスライドレールと、
前端側が前記ブラケットに取付けられ、その取付部を支点として後方上がり状態と水平状態とに上下方向回動可能な角度可変ブラケットと、
前記ブラケットに前後方向にスライド可能に取付けられ、一方へスライドすることにより前記角度可変ブラケットを後方上がり状態に回動させ、他方へスライドすることにより前記角度可変ブラケットを水平状態に回動させる角度可変レバーと、
前端側が前記スライドレールに取付けられてこのスライドレールと共に前後方向にスライド可能であり、前後方向にスライドすることにより前記角度可変ブラケットに乗り降りし、後方上がり状態と水平状態とに切換可能な商品陳列棚と、
を有し、
前記角度可変レバーは、前後方向へのスライド時に支軸部を支点として上下方向に揺動可能であり、前記商品陳列棚が後方位置にスライドしていることにより前記スライドレールが前記角度可変レバーの上方に近接して位置し、前記角度可変レバーの上下方向への揺動が規制されることを特徴とするショーケース。
【請求項２】
前記角度可変ブラケットは、複数段の後方上がり状態に回動切替可能であることを特徴とする請求項１記載のショーケース。
【請求項３】
前記ブラケットにガイド部材が取付けられ、このガイド部材に上向きに湾曲して前後方向に延出するガイド溝が形成され、前記角度可変レバーに設けられた凸部が前記ガイド溝にスライド可能に嵌合され、前記角度可変レバーの揺動は、前記角度可変レバーが前後方向へスライドする時に前記凸部が前記ガイド溝に沿ってスライドすることにより行われることを特徴とする請求項１又は２記載のショーケース。
【発明の詳細な説明】
【技術分野】
【０００１】
本発明は、商品陳列室内に商品陳列棚が設けられ、その商品陳列棚を前後方向にスライド可能、及び、後方上がり状態と水平状態とに上下方向回動可能としたショーケースに関する。
【背景技術】
【０００２】
従来、スーパーマーケットやコンビニエンスストア等の店舗では、商品陳列室内に商品陳列棚を設け、その商品陳列棚上に各種の商品を陳列するようにしたショーケースが使用されている。このようなショーケースにおいては、商品陳列棚を前後方向にスライド可能とし、さらに、商品陳列棚を後方上がり状態と水平状態とに上下方向回動可能としたものが知られている（下記特許文献１参照）。
【０００３】
このようなショーケースにおいては、商品陳列棚を前方にスライドさせて商品陳列室内から引き出すことにより、商品陳列棚上に商品を陳列する作業を容易に行うことができるようにしている。また、商品陳列棚上に陳列する商品の種類や数量に応じて商品陳列棚を後方上がり状態と水平状態とに回動させることにより、商品陳列棚からの商品取り出し性能を高めることができ、さらに、商品の陳列状態の見栄えを良くすることができる。
【先行技術文献】
【特許文献】
【０００４】
【特許文献１】特開２０１８-１７５５３５号公報
【発明の概要】
【発明が解決しようとする課題】
【０００５】
しかしながら、特許文献１に記載されたショーケースにおいては、商品陳列棚を前後方向にスライドさせる操作と上下方向に回動させる操作との手順を間違える場合がある。例えば、後方位置にスライドして後方上がり状態に回動している商品陳列棚を、その位置から水平状態に回動させる場合である。また、後方位置にスライドして水平状態となっている商品陳列棚を、その位置から後方上がり状態に回動させる場合である。
【０００６】
後方位置にスライドして後方上がり状態に回動している商品陳列棚を、その位置から水平状態に回動させると、重量物である商品陳列棚が大きな衝撃を伴って急に回動する。これにより、商品陳列棚上に陳列されている商品が落下したり、陳列状態が乱れたりする。場合によっては、商品陳列棚を回動させる作業員が、手や指を挟まれて怪我をする場合がある。
【０００７】
また、後方位置にスライドして水平状態となっている商品陳列棚を後方上がりに回動させようとすると、重量物である商品陳列棚を上向きに回動させる操作は多大な労力を必要として煩雑である。
【０００８】
本発明はこのような課題を解決するためになされたもので、その目的は、前後方向へスライド可能、及び、後方上がり状態と水平状態とに上下方向回動可能な商品陳列棚を備えたショーケースにおいて、商品陳列棚を後方上がり状態と水平状態とに回動させる操作を安全かつ容易に行うことができるショーケースを提供することである。
【課題を解決するための手段】
【０００９】
本発明に係るショーケースは、内部に商品陳列室を有し、正面に開口を有するショーケース本体と、前記商品陳列室内に配置され、後端側が前記ショーケース本体に取付けられて前端側が前記開口に向けて延出する左右一対のブラケットと、前記ブラケットに前後方向にスライド可能に取付けられたスライドレールと、前端側が前記ブラケットに取付けられ、その取付部を支点として後方上がり状態と水平状態とに上下方向回動可能な角度可変ブラケットと、前記ブラケットに前後方向にスライド可能に取付けられ、一方へスライドすることにより前記角度可変ブラケットを後方上がり状態に回動させ、他方へスライドすることにより前記角度可変ブラケットを水平状態に回動させる角度可変レバーと、前端側が前記スライドレールに取付けられてこのスライドレールと共に前後方向にスライド可能であり、前後方向にスライドすることにより前記角度可変ブラケットに乗り降りし、後方上がり状態と水平状態とに切換可能な商品陳列棚と、を有し、前記角度可変レバーは、前後方向へのスライド時に支軸部を支点として上下方向に揺動可能であり、前記商品陳列棚が後方位置にスライドしていることにより前記角度可変レバーの上下方向への揺動が規制されることを特徴とする。
【００１０】
また、前述のショーケースにおいて、前記角度可変ブラケットは、複数段の後方上がり状態に回動切替可能であることが望ましい。
【００１１】
また、前述のショーケースにおいて、前記ブラケットにガイド部材が取付けられ、このガイド部材に上向きに湾曲して前後方向に延出するガイド溝が形成され、前記角度可変レバーに設けられた凸部が前記ガイド溝にスライド可能に嵌合され、前記角度可変レバーの揺動は、前記角度可変レバーが前後方向へスライドする時に前記凸部が前記ガイド溝に沿ってスライドすることにより行われることが望ましい。
【発明の効果】
【００１２】
本発明に係るショーケースでは、前後方向にスライド可能な角度可変レバーを一方へスライドさせることにより角度可変ブラケットが後方上がり状態に回動し、角度可変レバーを他方へスライドさせることにより角度可変ブラケットが水平状態に回動する。また、スライドレールを前後方向へスライドさせることによりスライドレールと共に商品陳列棚が前後方向にスライドし、スライドレールを後方へスライドさせた場合には商品陳列棚が角度可変ブラケットに乗り上げ、スライドレールを前方へスライドさせた場合には商品陳列棚が角度可変ブラケットから降りる。そして、角度可変レバーは、前後方向へのスライド時に支軸部を支点として上下方向に揺動可能であり、商品陳列棚が後方位置にスライドしている場合には角度可変レバーの上下方向への揺動が規制される。このため、商品陳列棚が後方位置にスライドしている場合には、角度可変レバーの上下方向への揺動が規制され、及び、角度可変レバーの前後方向へのスライドが規制される。これにより、商品陳列棚が後方位置にスライドして後方上がり状態となっている場合には、                    角度可変レバーの前後方向へのスライドが規制され、商品陳列棚を水平状態に回動させることが規制される。従って、商品陳列棚が後方位置にスライドして後方上がり状態となっている場合には、商品陳列棚がその状態から水平状態に回動することを防止できる。これにより、商品陳列棚が後方上がり状態から急に水平状態に回動することを防止することができ、そのような急な回動により発生する不都合、例えば、商品陳列棚上に陳列されている商品が落下することや、商品陳列棚上に陳列されている商品の陳列状態が乱れることや、商品陳列棚を回動させた作業員が手や指を挟まれて怪我をすることを防止できる。さらに、後方位置で水平状態となっている商品陳列棚をその位置から角度可変ブラケットと共に後方上がり状態に回動させることができないので、重量物である商品陳列棚を水平状態から後方上がり状態に回動させようとして多大な労力を消費するという事態の発生を防止することができる。
【００１３】
また、角度可変ブラケットが複数段の後方上がり状態に回動切替可能であるので、商品陳列棚の後方上がり状態の回動角度を、複数段に切替えることができる。
【００１４】
また、ブラケットにガイド部材を取付け、そのガイド部材に上向きに湾曲して前後方向に延出するガイド溝を形成し、そのガイド溝に角度可変レバーに取付けた凸部をスライド可能に嵌合させるという簡単な構成により、角度可変レバーを前後方向にスライドさせるときに上下方向に揺動させることができる。
【図面の簡単な説明】
【００１５】
【図１】第一の実施形態のショーケースを示す断面側面図である。
【図２】角度可変ブラケットと商品陳列棚とが水平状態に回動している状態を示す側面図である。
【図３】図２に示す状態からスライドレールを前方位置へスライドさせ、商品陳列棚を前方へスライドさせた状態を示す側面図である。
【図４】図３に示す状態から角度可変レバーを後方へスライドさせて角度可変ブラケットを後方上がり状態に回動させる途中の状態を示す側面図である。
【図５】角度可変レバーを最大の後方位置へスライドさせ、角度可変ブラケットを後方上がり状態に回動させた状態を示す側面図である。
【図６】図５に示す状態からスライドレールを後方へスライドさせ、商品陳列棚を角度可変ブラケットの上に乗り上げさせることにより商品陳列棚を後方上がり状態に回動させた状態を示す側面図である。
【図７】角度可変ブラケットを示す側面図である。
【図８】第二の実施形態のショーケースにおいて、角度可変ブラケットと商品陳列棚とが水平状態に回動している状態を示す側面図である。
【図９】図８に示す状態からスライドレールを前方位置へスライドさせ、商品陳列棚を前方へスライドさせた状態を示す側面図である。
【図１０】図９に示す状態から角度可変レバーを後方へスライドさせ、角度可変ブラケットを第一段階目の後方上がり状態の位置に回動させた状態を示す側面図である。
【図１１】図１０に示す状態から角度可変レバーをさらに後方へスライドさせ、角度可変ブラケットを第二段階目の後方上がり状態の位置に回動させた状態を示す側面図である。
【発明を実施するための形態】
【００１６】
本発明の第一の実施形態のショーケースについて、図１ないし図７に基づいて説明する。図１は、スーパーマーケットやコンビニエンスストア等の店舗内に設置されるショーケース１を示す断面側面図である。このショーケース１は、正面に開口２が形成された断面形状コの字型のショーケース本体３を有し、ショーケース本体３の内部には商品陳列室４が設けられている。ショーケース本体３の内周部に沿って、冷気が流れる冷気通路５が形成されている。この冷気通路５内には、空気を冷却して冷気を生成する冷却器６と、冷気を矢印方向に送風するファン７とが設けられている。
【００１７】
冷気通路５の正面側上端部には、冷気が下向きに吹出す吹出口８が形成されている。冷気通路５の正面側下端部には、吹出口８から吹出した冷気が吸い込まれる吸込口９が形成されている。吸込口９から吸い込まれた冷気は冷却器7により冷却され、再び吹出口８から吹出すようになっている。
【００１８】
商品陳列室４内には、水平方向で対向する左右一対のブラケット１０が上下方向に沿って複数設けられている。これらのブラケット１０の後端側は、ショーケース本体３内に設けられた支柱（図示せず）に取付けられ、ブラケット１０の前端側は開口２に向けて延出している。
【００１９】
ブラケット１０には、図２ないし図６に示すように、スライドレール１１と、ガイド部材１２、１３と、角度可変ブラケット１４と、角度可変レバー１５と、商品陳列棚１６とが支持されている。
【００２０】
スライドレール１１は、前後方向に延出する向きに配置された長尺状の部材であり、ブラケット１０に支持されている。このスライドレール１１は、図２及び図６に示す後方位置と、図３及び図４に示す前方位置との間で、前後方向スライド可能とされている。なお、図面では、一方のブラケット１０に支持された一つのスライドレール１１のみを示しているが、スライドレール１１は左右のブラケット１０にそれぞれ一つずつ支持され、同時に同じ方向にスライドするように連結されている。
【００２１】
ガイド部材１２、１３は、ブラケット１０に固定されている。これらのガイド部材１２、１３は、別部材として設けられていてもよく、又は、一体とされていてもよい。ガイド部材１２には、前後方向に延出する直線状のガイド溝１２ａが形成されている。ガイド部材１３には、上向きに突出するように湾曲するとともに中間部分が水平状態となって前後方向に延出するガイド溝１３ａが形成されている。
【００２２】
角度可変ブラケット１４は、図７に示す形状をした長尺状の部材であり、左右に一対設けられている。角度可変ブラケット１４の先端側には、楕円状の取付孔１７が形成されている。角度可変ブラケット１４は、取付孔１７に挿通された取付ピン１８によりブラケット１０に取付けられている。取付ピン１８によりブラケット１０に取付けられた角度可変ブラケット１４は、取付ピン１８を中心として、図２及び図３に示す水平状態と、図４ないし図６に示す後方上がり状態とに上下方向回動可能とされている。また、角度可変ブラケット１４には、前後方向に延出するととも後方下がりに傾斜したガイド溝１４ａが形成されている。
【００２３】
角度可変レバー１５は、前後方向に延出する向きに配置された長尺状の部材であり、左右に一対設けられ、前後方向にスライド可能とされている。角度可変レバー１５の側面には、前後方向に並んで位置する三つの凸部１９、２０、２１が設けられている。前部の凸部１９は、ガイド溝１２ａにスライド可能に嵌合され、中央部の凸部２０はガイド溝１４ａにスライド可能に嵌合され、後部の凸部２１はガイド溝１３ａにスライド可能に嵌合されている。そして、角度可変レバー１５が前後方向にスライドすることにより凸部２０がガイド溝１４ａ内をスライドする。これにより、角度可変ブラケット１４が取付ピン１８による取付部を支点として上下方向に回動し、角度可変ブラケット１４が図２及び図３に示す水平状態と、図５及び図６に示す後方上がり状態とに回動するようになっている。
【００２４】
さらに、角度可変レバー１５には、角度可変レバー１５のスライド位置が前方位置であるか後方位置であるか、言い換えれば、角度可変ブラケット１４が水平状態であるか後方上がり状態であるかを示すための赤色や黄色等に着色された視認マーク１５Ａが設けられている。そして、ブラケット１０には、スライドした視認マーク１５Ａと対向する位置に視認窓１０Ａ、１０Ｂが形成されている。角度可変レバー１５を前方位置へスライドさせることにより角度可変ブラケット１４が水平状態となっている場合には、図２及び図３に示すように視認マーク１５Ａが前方に位置する視認窓１０Ａに対向し、周囲にいる作業員は視認マーク１５Ａを見ることにより、角度可変ブラケット１４が水平状態であることを確認することができる。角度可変レバー１５を後方位置にスライドさせることにより角度可変ブラケット１４が後方上がり状態となっている場合には、図５及び図６に示すように視認マーク１５Ａが後方に位置する視認窓１０Ｂに対向し、周囲にいる作業員は視認マーク１５Ａを見ることにより、角度可変ブラケット１４が後方上がり状態であることを確認することができる。
【００２５】
また、角度可変レバー１５は、前後方向にスライドする場合に凸部１９を支軸部として上下方向に揺動可能とされている。この揺動動作は、角度可変レバー１５が前後方向へスライドする時に、凸部２１がガイド溝１３ａに沿ってスライドすることにより行われる。角度可変レバー１５の先端部には、この角度可変レバー１５を前後方向にスライドさせるときに把持する把持部２２が設けられている。
【００２６】
商品陳列棚１６は、販売する商品が陳列される棚であり、棚取付板２３を介してスライドレール１１に取付けられている。スライドレール１１への棚取付板２３の取付けは、支軸２４により行われており、棚取付板２３と商品陳列棚１６とは、この支軸２４の回りに上下方向回動可能とされている。
【００２７】
このような構成において、ショーケース１の商品陳列室４内には上下７段の商品陳列棚１６が設けられており、上側４段の商品陳列棚１６は後方上がり状態に回動しており、下側３段の商品陳列棚１６は水平状態に回動している。以下、商品陳列棚１６を後方上がり状態と水平状態とに切替える場合の操作について説明する。
【００２８】
図２は、商品陳列棚１６と角度可変ブラケット１４とが水平状態に回動している場合を示している。商品陳列棚１６と棚取付板２３とは、共に角度可変ブラケット１４の上に乗り上げている。また、この図２に示す状態では、スライドレール１１は最大の後方位置にスライドしており、スライドレール１１の後端側が角度可変レバー１５の後方部分の上方を覆う位置に近接して位置している。
【００２９】
図２に示すように水平状態に回動している商品陳列棚１６を、後方上がり状態に回動させる場合には、まず、図３に示すように、スライドレール１１を前方にスライドさせる。スライドレール１１を前方にスライドさせると、棚取付板２３と商品陳列棚１６とがスライドレール１１と共にスライドし、商品陳列棚１６と棚取付板２３とが角度可変ブラケット１４の上から降りる。なお、前方にスライドしたスライドレール１１の後端側は、角度可変レバー１５の後方部分の上方を覆う位置から前方側へ移動し、角度可変レバー１５は上下方向に揺動することが許容されるようになる。
【００３０】
図３に示すように、スライドレール１１を商品陳列棚１６及び棚取付板２３と共に前方へスライドさせた後、図４及び図５に示すように、角度可変レバー１５を後方へスライドさせる。図４は、角度可変レバー１５を前後方向へのスライド可能範囲の略半分の位置までスライドさせ、角度可変ブラケット１４を後方上がり状態に回動させた状態を示している。図５は、角度可変レバー１５を最大の後方位置にスライドさせ、角度可変ブラケット１４の後方上がり状態の回動角度を最大とした状態を示している。
【００３１】
角度可変レバー１５を後方へスライドさせると、前部の凸部１９はガイド溝１２ａ内を後方へスライドし、中央部の凸部２０はガイド溝１４ａ内を後方へスライドし、後部の凸部２１はガイド溝１３ａ内を後方へスライドする。
【００３２】
凸部２０がガイド溝１４ａ内を後方へスライドすることにより、角度可変ブラケット１４は取付ピン１８を支点として後方上がり状態に次第に回動する。また、凸部２１がガイド溝１３ａ内を後方へスライドすることにより、角度可変レバー１５は凸部１９を支点として上下方向に揺動する。この揺動動作は、凸部２１がガイド溝１３ａの前端側の湾曲部分をスライドする場合に、角度可変レバー１５が凸部１９を支点として後方上がりに回動し、凸部２１がガイド溝１３ａの後端側の湾曲部分をスライドする場合に、角度可変レバー１５が凸部１９を支点として後方下がりに回動することにより行われる。
【００３３】
図５に示すように、角度可変ブラケット１４の後方上がり状態の回動角度を最大とした後、スライドレール１１を後方へスライドさせる。スライドレール１１を後方へスライドさせると、棚取付板２３と商品陳列棚１６とが一体に後方へスライドし、棚取付板２３と商品陳列棚１６とは支軸２４を支点として後方上がり状態に回動し、角度可変ブラケット１４の上に乗り上げる。そして、スライドレール１１を最大の後方位置までスライドさせると、商品陳列棚１６は図６に示すように最大角度の後方上がり状態に回動する。なお、スライドレール１１が図６に示すように後方位置にスライドした場合には、即ち、商品陳列棚１６が後方位置にスライドした場合には、スライドレール１１の後端側が角度可変レバー１５の後方部分の上方を覆う位置に近接して位置し、角度可変レバー１５が上下方向に揺動することが規制されるようになる。
【００３４】
図６は、角度可変レバー１５が後方位置にスライドすることにより角度可変ブラケット１４が後方上がり状態に回動し、スライドレール１１が後方位置にスライドすることにより商品陳列棚１６が角度可変ブラケット１４の上に乗り上げて後方上がり状態に回動している状態を示している。このとき、スライドレール１１の後端側が角度可変レバー１５の後方部分の上方を覆う位置に近接して位置し、角度可変レバー１５が上下方向に揺動することが規制されている。
【００３５】
図６に示すように後方上がり状態に回動している商品陳列棚１６を、図２に示すように水平状態に回動させる場合には、まず、図５に示すようにスライドレール１１を前方へスライドさせ、商品陳列棚１６を角度可変ブラケット１４の上から降ろす。スライドレール１１を前方にスライドさせることにより、角度可変レバー１５は上下方向に揺動可能となるとともに前後方向へスライド可能となる。そこで、角度可変レバー１５を前方へスライドさせることにより角度可変ブラケット１４を図３に示すような水平状態に回動させる。ついで、スライドレール１１を後方へスライドさせ、水平状態に回動している角度可変ブラケット１４の上に商品陳列棚１６を乗り上げさせ、商品陳列棚１６を水平状態とする。
【００３６】
ここで、図６に示す状態から角度可変レバー１５を前方へスライドさせようと操作しても、角度可変レバー１５はスライドレール１１によって上下方向へ揺動することが規制されているため、角度可変レバー１５を前方へスライドさせることができず、角度可変ブラケット１４を水平状態に回動させることができない。従って、商品陳列棚１６が図６に示すように後方上がり状態に回動している場合には、角度可変ブラケット１４に乗り上げて後方上がり状態となっている商品陳列棚１６がその位置から水平状態に回動することを防止できる。これにより、商品陳列棚１６が後方上がり状態から急に水平状態に回動した場合に発生する不都合、例えば、商品陳列棚１６上に陳列されている商品が落下することや、商品陳列棚１６上に陳列されている商品の陳列状態が乱れることや、商品陳列棚１６を回動させた作業員が手や指を挟まれて怪我をすることを防止できる。
【００３７】
また、図２に示すように、角度可変ブラケット１４や商品陳列棚１６が水平状態に回動している場合においては、後方位置へスライドしているスライドレール１１の後端側が角度可変レバー１５の後方部分の上方を覆う位置に近接して位置しており、角度可変レバー１５が上下方向に揺動することが規制されている。従って、水平状態に回動している商品陳列棚１６をその位置から後方上がり状態に回動させることができないので、重量物である商品陳列棚１６を水平状態から後方上がり状態に回動させようとして多大な労力を消費するという事態の発生を防止することができる。
【００３８】
なお、本実施の形態では、角度可変レバー１５を後方へスライドさせた場合に角度可変ブラケット１４が後方上がり状態に回動し、角度可変レバー１５を前方へスライドさせた場合に角度可変ブラケット１４が水平状態に回動する場合を例に挙げて説明している。しかし、角度可変レバー１５と角度可変ブラケット１４との連結構造を変更することにより、角度可変レバー１５を前方にスライドさせた場合に角度可変ブラケット１４が後方上がり状態に回動し、角度可変レバー１５を後方にスライドさせた場合に角度可変ブラケット１４が水平状態に回動するようにしてもよい。
【００３９】
つぎに、本発明の第二の実施形態のショーケースについて、図８ないし図１１に基いて説明する。なお、第一の実施形態で説明した構成と同じ構成は同じ符号で示し、説明は省略する。第一の実施形態では、商品陳列棚１６が後方上がり状態に回動した場合の角度が一段階である場合を示している。一方、この第二の実施形態では、商品陳列棚１６が後方上がり状態に回動した場合の角度が、二段階に切換可能とされている。この二段階の切換を行うために、角度可変ブラケット１４には下向きに突出するように湾曲して連続する二段階のガイド溝２５ａ、２５ｂが形成されている。また、ガイド部材１３には、上向きに突出するように湾曲するとともに中間部分が水平状態となって前後方向に延出する連続した二段階のガイド溝２６ａ、２６ｂが形成されている。ガイド溝２５ａ、２５ｂには凸部２０がスライド可能に嵌合され、ガイド溝２６ａ、２６ｂには凸部２１がスライド可能に嵌合されている。図８に示す状態では、角度可変ブラケット１４及び商品陳列棚１６は水平状態となっている。
【００４０】
また、ブラケット１０には、第一の実施の形態で説明した二つの視認窓１０Ａ、１０Ｂに加えて、その間に位置する三つ目の視認窓１０Ｃが形成されている。角度可変レバー１５を前後方向へスライドさせることにより、視認マーク１５Ａがいずれかの視認窓１０Ａ、１０Ｂ、１０Ｃに対向し、その対向状態を見ることにより左右の角度可変ブラケット１４の傾き状態を確認することができる。これにより、左右の角度可変ブラケット１４の傾斜角度が異なる場合に、それらの傾斜角度の異なる二つの角度可変ブラケット１４の上に商品陳列棚１６を乗せるという誤操作を防止することができる。
【００４１】
図９は、図８に示す状態からスライドレール１１を前方にスライドさせた状態である。スライドレール１１を前方にスライドさせると、棚取付板２３と商品陳列棚１６とがスライドレール１１と共に前方にスライドし、商品陳列棚１６と棚取付板２３とが角度可変ブラケット１４の上から降りる。なお、前方にスライドしたスライドレール１１の後端側は、角度可変レバー１５の後方部分の上方を覆う位置から前方側へ移動し、角度可変レバー１５は上下方向に揺動することが許容されるようになる。
【００４２】
図１０は、図９に示す状態から角度可変レバー１５を後方にスライドさせ、凸部２０をガイド溝２５ａの後端部までスライドさせ、凸部２１をガイド溝２６ａの後端部までスライドさせた状態を示している。これにより、角度可変ブラケット１４は一段階目の回動位置に回動する。そして、この状態から商品陳列棚１６を棚取付板２３と共に後方にスライドさせれば、商品陳列棚１６は角度可変ブラケット１４の上に乗り上げ、一段階目の回動位置で保持される。
【００４３】
図１１は、図１０に示す状態から角度可変レバー１５をさらに後方にスライドさせ、凸部２１をガイド溝２６ｂの後端部までスライドさせ、凸部２１をガイド溝２６ｂの後端部までスライドさせた状態を示している。これにより、角度可変ブラケット１４は二段階目の回動位置に回動する。そして、この状態から商品陳列棚１６を棚取付板２３と共に後方にスライドさせれば、商品陳列棚１６は角度可変ブラケット１４の上に乗り上げ、二段階目の回動位置で保持される。
【００４４】
ここで、スライドレール１１が図１０又は図１１に示す後方位置までスライドしていると、スライドレール１１の後端側が角度可変レバー１５の後方部分の上方を覆う位置に近接して位置し、角度可変レバー１５が上下方向に揺動することが規制される。従って、後方上がり状態に回動している角度可変ブラケット１４の上に商品陳列棚１６が乗っている場合、その状態から角度可変レバー１５を前方へスライドさせることはできず、角度可変ブラケット１４を水平状態に回動させることはできない。従って、商品陳列棚１６が図１０又は図１１に示すように後方上がり状態に回動している角度可変ブラケット１４の上に乗っている場合、角度可変ブラケット１４がその位置から水平状態に回動することを防止できる。これにより、商品陳列棚１６が後方上がり状態から急に水平状態に回動することを防止でき、そのような急な回動により発生する不都合、例えば、商品陳列棚１６上に陳列されている商品が落下することや、商品陳列棚１６上に陳列されている商品の陳列状態が乱れることや、商品陳列棚１６を回動させた作業員が手や指を挟まれて怪我をすることを防止できる。
【符号の説明】
【００４５】
１    ショーケース
２    開口
３    ショーケース本体
４    商品陳列室
５    冷気通路
６    冷却器
７    ファン
８    吹出口
９    吸込口
１０    ブラケット
１０Ａ、１０Ｂ、１０Ｃ  視認窓
１１    スライドレール
１２    ガイド部材
１２ａ  ガイド溝
１３    ガイド部材
１３ａ  ガイド溝
１４    角度可変ブラケット
１４ａ  ガイド溝
１５    角度可変レバー
１５Ａ  視認マーク
１６    商品陳列棚
１７    取付孔
１８    取付ピン
１９    凸部
２０    凸部
２１    凸部
２２    把持部
２３    取付板
２４    支軸
２５ａ、２５ｂ  ガイド溝
２６ａ、２６ｂ  ガイド溝
【要約】
【課題】前後方向へスライド可能、及び、後方上がり状態と水平状態とに上下方向回動可能な商品陳列棚を備えたショーケースにおいて、商品陳列棚を後方上がり状態と水平状態とに回動させる操作を安全かつ容易に行う。
【解決手段】前後方向にスライド可能なスライドレール１１、後方上がり状態と水平状態とに上下方向回動可能な角度可変ブラケット１４、前後いずれか一方へスライドすることにより角度可変ブラケットを後方上がり状態に回動させて他方へスライドすることにより角度可変ブラケットを水平状態に回動させる角度可変レバー１５、スライドレールと共に前後方向にスライドして角度可変ブラケットに乗り降りし、後方上がり状態と水平状態とに切換可能な商品陳列棚１６を有し、角度可変レバーは、前後方向へのスライド時に上下方向に揺動可能であり、商品陳列棚が後方位置にスライドしていることにより角度可変レバーの上下方向への揺動を規制する。
【選択図】図６【図１】
0006882841.tif 000002
【図２】
0006882841.tif 000003
【図３】
0006882841.tif 000004
【図４】
0006882841.tif 000005
【図５】
0006882841.tif 000006
【図６】
0006882841.tif 000007
【図７】
0006882841.tif 000008
【図８】
0006882841.tif 000009
【図９】
0006882841.tif 000010
【図１０】
0006882841.tif 000011
【図１１】
0006882841.tif 000012